(57)【要約】  【課題】学校や図書館、空港などのような公共の場所における水飲み場で使用される飲用水用の冷水装置に関し、一般のエアコンディショナーの冷凍サイクルを流用して冷水装置を実現することによって、十分な容量を確保をでき、しかも安価な冷水装置を実現する。  【解決手段】一度使用した後の廃エアコンディショナーの室内熱交換器を冷水用熱交換器と共に冷却水槽中に浸漬し、前記冷水用熱交換器の流入部を水道に接続し、流出部を給水部に接続すると共に、複数の出口ノズルから同時に複数人が飲用できるようにする。【選択図】          図１
0003112348.tif 000002
【実用新案登録請求の範囲】
【請求項１】
エアコンディショナーの室内熱交換器を冷水用熱交換器と共に冷却水槽中に浸漬し、前記冷水用熱交換器の流入部を水道に接続し、流出部を給水部に接続可能としたことを特徴とする冷水機。
【請求項２】
前記の給水部は、複数の出口ノズルを有し、同時に複数人が飲用できることを特徴とする請求項１に記載の冷水機。
【請求項３】
前記のエアコンディショナーが、一度使用した後の廃冷凍サイクルであることを特徴とする請求項１または請求項２に記載の冷水機。
【考案の詳細な説明】
【技術分野】
【０００１】
本考案は、例えば学校や図書館、空港などのような公共の場所における水飲み場で使用される飲用水用の冷水装置に関する。
【背景技術】
【０００２】
図書館などのような公共の場所における冷水機は、同時に多数の者が連続して使用することを想定していないのか、容量が小さく、数人も連続使用すると、間もなくぬるい水しか出ない状態となり、需要を満たしきれない冷水機が多い。
これに対し、飲料液用の自動販売機などでは、特開2005-37087に記載のように、冷凍サイクルを装備して、冷媒が循環している冷却コイルで冷水を製造する技術が知られている。
【特許文献１】特開2005-37087
【考案の開示】
【考案が解決しようとする課題】
【０００３】
しかしながら、このように専用の冷凍サイクルを装備した場合は、専用の冷凍サイクルを設計し製造しなければならないので、コスト高を招くという問題は避けられない。
【０００４】
これに対し、世の中で最も普及しているのはルームエアコンディショナーの冷凍サイクルであり、各社とも大量生産によって同型機を大量に発売し、かつ出回っている。したがって、冷水機の場合は、一般のルームエアコンディショナーの冷凍サイクルを利用する方が、安価に提供でき、しかも十分な容量を確保できる。
本考案の技術的課題は、このような問題に着目し、一般のルームエアコンディショナーの冷凍サイクルを流用して冷水装置を実現することによって、十分な容量を確保をでき、しかも安価な冷水装置を実現することにある。
【課題を解決するための手段】
【０００５】
本考案の技術的課題は次のような手段によって解決される。請求項１は、ルームエアコンディショナーの室内熱交換器を冷水用熱交換器と共に冷却水槽中に浸漬し、前記冷水用熱交換器の流入部を水道に接続し、流出部を給水部に接続可能としたことを特徴とする冷水機である。このように、ルームエアコンディショナーの室内熱交換器を冷水用熱交換器と共に水槽中に浸漬し、前記冷水用熱交換器の流入部を水道に接続し、流出部を給水部に接続可能とした構成を採用しているため、室内熱交換器で冷却された冷水を給水部に供給して、冷水を飲むことができる。通常のルームエアコンディショナーの冷凍サイクルは十分な冷却能力を有していて、大量の水を冷却できるので、連続して又は同時に多人数が飲んでも、途中からぬるい水が出てくるという問題は生じない。しかも、大量生産されている通常のルームエアコンディショナーの冷凍サイクルを流用するので、安価な冷水機を実現できる。
【０００６】
請求項２は、前記の給水部が複数の出口ノズルを有し、同時に複数人が飲用できることを特徴とする請求項１に記載の冷水機である。このように、前記の給水部は複数の出口ノズルを有しているため、同時に複数人が飲用できる。その結果、学校などのように多人数が同時に冷水を飲むような用途にも十分に対応でき。また、前記のように、通常のルームエアコンディショナーの冷凍サイクルは十分な冷却能力を有しているため、給水部で複数の出口ノズルから多人数が同時に消費したとしても、水道から流入してきた水が流出部から流出するころには十分に冷却されている。したがって、途中から冷水が途絶えるという問題はなく、大量消費するような需要にも十分に対応できる。
【０００７】
請求項３は、前記のルームエアコンディショナーが、一度使用した後の廃冷凍サイクルであることを特徴とする請求項１または請求項２に記載の冷水機である。近年のルームエアコンディショナーは性能が良く、室外機や室内熱交換器は堅牢で長期の使用に絶えうるため、通常のルームエアコンディショナーとしての役目を終えても、請求項３のように、室外機と室内熱交換器を冷水機の冷凍サイクルとして流用できる。したがって、資源をリサイクルして有効利用できるという効果を奏する。
【考案の効果】
【０００８】
請求項１のように、ルームエアコンディショナーの室内熱交換器を冷水用熱交換器と共に水槽中に浸漬し、前記冷水用熱交換器の流入部を水道に接続し、流出部を給水部に接続可能とした構成を採用しているため、室内熱交換器で冷却された冷水を給水部に供給して、冷水を飲むことができる。通常のルームエアコンディショナーの室内熱交換器は十分な冷却能力を有していて、大量の水を冷却できるので、連続して又は同時に多人数が飲んでも、途中からぬるい水が出てくるという問題は生じない。しかも、大量生産されている通常のルームエアコンディショナーの室内熱交換器を流用するので、安価な冷水機を実現できる。
【０００９】
請求項２のように、前記の給水部は複数の出口ノズルを有しているため、同時に複数人が飲用でき、学校などのように多人数が同時に冷水を飲むような用途にも十分に対応でき。また、前記のように、通常のルームエアコンディショナーの冷凍サイクルは十分な冷却能力を有しているため、給水部で複数の出口ノズルから多人数が同時に消費したとしても、水道から流入してきた水が流出部から流出するころには十分に冷却されている。したがって、途中から冷水が途絶えるという問題はなく、大量消費するような需要にも十分に対応できる。
【００１０】
近年のルームエアコンディショナーは性能が良く、室外機や室内熱交換器は堅牢で長期の使用に絶えうるため、通常のルームエアコンディショナーとしての役目を終えても、請求項３のように、室外機と室内熱交換器を冷水機の冷凍サイクルとして流用できる。したがって、資源をリサイクルして有効利用できるという効果を奏する。
【考案を実施するための最良の形態】
【００１１】
次に本考案によるルームエアコンディショナーを流用した冷水装置が実際上どのように具体化されるか実施形態を説明する。図１は本考案によるルームエアコンディショナーを流用した冷水装置の全体構成を示す図で、要部を断面図で表現してある。１はルームエアコンディショナーの室外機である。室内機側は、その室内熱交換器２のみを示し、その他は省いてある。３は冷却水槽であり、その中の冷却水４中に前記の室内熱交換器２と冷水用熱交換器５を浸漬してある。
【００１２】
室外機１の凝縮器から流出した冷媒は、膨張弁を経て冷媒管６から室内熱交換器２に供給される。そして、冷却水４を冷却した後の冷媒は、冷媒管７を通過して室外機１中の圧縮機に戻されて圧縮され、次いで凝縮ファン８で冷却されて凝縮される。以上のような冷凍サイクルで冷媒が循環することによって、室内熱交換器２で冷却水槽３中の冷却水４が冷却されると、冷却水４を介して、冷水用熱交換器５を通過する水が冷却される。
【００１３】
冷水用熱交換器５の流入部は、水位弁９、止水栓１０を介して水道に接続されており、冷水用熱交換器５の流出部は、流量調整弁１１を介して、給水部１２に接続されている。Ｎは出口ノズルであって、複数人分装備されており、それぞれに止水栓１３を設けてある。１４は排水用の電磁弁であって、タイマーで開閉制御されることによって、自動洗浄が行われる。
【００１４】
この構成において、冷却水槽３中に冷却用の水４と室内熱交換器２と冷水用熱交換器５を入れた状態で、前記の冷凍サイクルが作動すると、室内熱交換器２によって冷却水４を介して冷水用熱交換器５が冷却されるため、その中を通過している飲用水が冷却される。そして、給水部１２の各出口ノズルＮ…が開栓されて冷水が消費されると、水道から流入して来た水道水が連続的に冷却されて順次給水部１２に供給される。
【００１５】
この装置における冷水用熱交換器５は、室内熱交換器２と対応して、同じ程度の熱交換能力を有しているコイルを使用する。したがって、室内熱交換器２のコイル長が１４ｍ程度だと仮定すると、冷水用熱交換器５のコイル長も同程度の１４ｍ程度の装置が適している。そのため、前記の複数の出口ノズルＮ…から冷水が連続的に消費されたとしても、冷水用熱交換器５のコイルの中を飲用水が通過する間に十分冷却されるので、従来のように冷水が途切れて、ぬるい水が出て来るようなことはない。
【００１６】
また、室内熱交換器２も冷水用熱交換器５も共に、冷却水槽３中の冷却水４の中に浸漬されているので、室内熱交換器２によって効率的かつ確実に冷水用熱交換器５中を通過する飲用水が冷却される。したがって、複数の出口ノズルＮ…を有する給水部１２が多数設置された場合でも、十分に冷却された冷水を確実に供給でき、学校などのように同時に多数人が使用する水飲み場などに最適である。さらに、既設の冷水装置において、給水部１２を増設することも可能である。
【００１７】
冷却水槽３中の冷却水４の中にはサーモスタット１５を浸漬して冷却水４の水温を検出し、冷却水４が十分に冷却されたら室外機１を停止させ、水温が上昇したら再始動させるように自動的に制御される。１６は水位検出用のボールタップであり、冷却水４の水位が上昇したら水位弁９を閉じ、水位が下降したら水位弁９が開いて冷却水が補充される。
【００１８】
以上の装置におけるルームエアコンディショナーの室外機１や室内熱交換器２は、ルームエアコンディショナーとして一度使用した後の器具を冷水装置用に流用するのが合理的である。すなわち、ルームエアコンディショナーとして使用した後、冷水装置用として必要な部分のみを残し、不用な器具などは除去するのがよい。したがって、冷房専用のルームエアコンディショナーで足りるが、冷暖房兼用のエアコンでも利用できる。この場合は、各部をすべて冷房側に切り替えておく。
【００１９】
資源を有効利用すべくリサイクル利用する上では、一度は使用した後の廃ルームエアコンディショナーから、室外機１と室内熱交換器２を取り出して、再利用するのが適しているが、一度も使用したことのないルームエアコンディショナーから室外機と室内熱交換器のみを取り出して利用してもよい。
【産業上の利用可能性】
【００２０】
以上のように、本考案によると、普及率の高いルームエアコンディショナーから室外機と室内熱交換器のみを取り出して冷水装置用に流用できるため、飲用水の冷却能力は高く、多人数が使用する学校などの冷水装置として最適である。また、冷水装置としての主要部である冷却手段をリサイクル利用できるので、業者なら誰でも、いつでも何処でも、安価に冷水装置を実現でき、資源の有効利用にも貢献できる。
【図面の簡単な説明】
【００２１】
【図１】本考案によるルームエアコンディショナーを流用した冷水装置の全体構成であり、要部を断面図で表現してある。
【符号の説明】
【００２２】
１  ルームエアコンディショナーの室外機
２  ルームエアコンディショナーの室内熱交換器
３  冷却水槽
４  冷却水
５  冷水用熱交換器
６・７  冷媒管
８  凝縮ファン
１２  給水部
Ｎ…  出口ノズル
【図１】
0003112348.tif 000003